(57)【要約】【課題】作業員の被曝を防止し、固化体を貯蔵施設に収容空間を有効活用して収納する。【解決手段】この吊り・収納治具１は、固化体３２の底面に固定される支持部材１１と、支持部材１１から固化体３２に貫通固定され、固化体３２の天面上に延びる先端にフック１２０を有する懸吊部材１２と、支持部材１１の裏面側に形成されるフック受け凹部１３とを備え、固化体３２の形成過程で、支持部材１１及び懸吊部材１２が固化体３２に一体的に固定され、固化体３２をフック１２０により吊り上げ・搬送し、固化体３２同士をフック１２０とフック受け凹部１３との係合案内により上下に積み上げるようにした。【選択図】図５
2014181979.tif 000002
【特許請求の範囲】
【請求項１】
放射能で汚染された焼却灰を減容・固化した固化体を含む放射能汚染物固化体を中間貯蔵施設その他の放射能汚染物貯蔵施設に収納するのに使用する放射能汚染物固化体の吊り・収納治具であって、
前記固化体の底面に固定され、前記固化体を支持するための支持部材と、
前記支持部材から立ち上げられて前記固化体に貫通固定され、前記固化体の天面上に延びる先端にフックを有する、前記固化体を懸吊するための懸吊部材と、
前記支持部材の裏面側に形成され、前記懸吊部材のフックが挿入可能な開口と前記フックが嵌合可能な凹状のフック受けとからなる、前記フックを受けるためのフック受け凹部と、
を備え、
前記固化体の形成過程で、前記支持部材及び前記懸吊部材が前記固化体に一体的に固定され、
前記固化体を前記固化体天面のフックにより吊り上げ・搬送し、前記固化体同士を前記各固化体のフックとフック凹部との係合案内により上下に積み上げるようにした、
ことを特徴とする放射能汚染物固化体の吊り・収納治具。
【請求項２】
フック受け凹部は、支持部材裏面の開口が前記フックの平面形状よりも大きく形成され、前記開口とフック受けとの間に、前記フックを前記フック受けに向けて摺動案内する傾斜面状又は曲面状のガイド面を有する請求項１に記載の放射能汚染物固化体の吊り・収納治具。
【請求項３】
フック受け凹部は、支持部材の表面側において凸形形状に形成され、前記凸形形状が固化体の底面から当該固化体の内部に嵌入固定される請求項１又は２に記載の放射能汚染物固化体の吊り・収納治具。
【発明の詳細な説明】
【技術分野】
【０００１】
本発明は、放射能汚染物固化体の吊り・収納治具に関し、特に、放射能汚染物固化体を中間貯蔵施設などの放射能汚染物貯蔵施設に積み上げて収納するのに使用する放射能汚染物固化体の吊り・収納治具に関する。
【背景技術】
【０００２】
原子力発電所の事故により、発電所周辺の草や木の葉、枝などが放射性セシウムて汚染されていることは周知のとおりである。今後、発電所周辺の除染が進むと、膨大な量の放射能汚染物が集まることになる。これらの放射能汚染物は減容化のため焼却処分されて、これから設置される予定の設置箇所の限られた中間貯蔵施設に運搬、搬入されるとみられている。この場合、放射能汚染物焼却灰をフレコンパックに詰めて、中間貯蔵施設に積み重ねて収納することが提案されているが、フレコンパックを積み上げる場合には３段程度が限界で、これでは中間貯蔵施設の収容空間を最大限有効に活用することが難しい。また、これら焼却灰を所定の貯蔵期間経過後に取り出すことになる場合、フレコンパックは経年劣化により朽ちて、焼却灰の取り出しに窮する事態も予想される。
これに対して本願出願人は、この放射性物質を含んだ焼却灰をセメント系固化材を用いてブロック状に減容・固化し、中間貯蔵施設に収納する手法を提案している。この放射能汚染物焼却灰の減容・固化技術は、本願出願人において、石炭灰などの焼却灰の減容・固化技術である超流体工法（例えば、特許文献１を参照）の応用により、既に確立したものになっている。この技術では、放射能汚染焼却灰に、水、セメント及び石炭灰などの焼却灰などを加えて練り混ぜ、この混練物を型枠内に投入し、これに高周波の外部振動を加えて、ブロック状に締め固める。この混練物が固化したら、型枠から固化体のみをクレーンなどで吊り上げて脱型する。このように放射能で汚染された焼却灰をセメント系固化材を用いてブロック状に固化することは可搬性・収納性を向上させ、また、雨水など水に晒されても放射性物質が外部に簡単には溶け出さない利点がある。そして、このようにして得られた固化体は３段積みまでならば、フォークリフトで運搬して積み上げることができ、フォークリフトでは届かない高さにまで積み上げる場合には、固化体をワイヤーロープや繊維ロープなどでクレーンのフックに玉掛けし、クレーンで吊り上げて、固化体を所定の段数まで積み重ねることができる。これにより、中間貯蔵施設の収容空間を最大限有効に活用して、放射能汚染物焼却灰（ブロック状の固化体）を収納することができる。また、この固化体を所定の貯蔵期間経過後に取り出すことになる場合には、固化体を、収納時と同様に、フォークリフトやクレーンを使って取り出すことができる。
【先行技術文献】
【特許文献】
【０００３】
【特許文献１】特開２０００−２５６０５２公報
【発明の概要】
【発明が解決しようとする課題】
【０００４】
しかしながら、放射性物質を含んだ焼却灰をセメント系固化材を用いてブロック状に減容・固化していても、このブロック状の固化体の放射能濃度は高く、これを中間貯蔵施設に搬入、収納する際は、作業員らはできる限り、固化体に近づかないようにすることが望まれるところ、固化体をフォークリフトで積み上げる場合は、フォークリフトのオペレータが固化体の近くでフォークリフトを操作する必要があり、固化体をクレーンを用いて積み重ねる場合は、固化体の周辺で作業員の誘導やサポートが必要となり、このため、フォークリフトのオペレータや固化体の近くにいる作業員が被曝してしまう、という問題がある。
【０００５】
本発明は、このような従来の問題を解決するものであり、放射能で汚染された焼却灰を減容・固化した固化体などの放射能汚染物固化体を中間貯蔵施設などの放射能汚染物貯蔵施設に収納する際に使用し、作業員が固化体の収納作業を固化体から離れた位置で行えるようにして、作業員の被曝を防止し、固化体を中間貯蔵施設などの放射能汚染物貯蔵施設にその収容空間を最大限有効に活用して収納することのできる放射能汚染物固化体の吊り・収納治具を提供すること、を目的とする。
【課題を解決するための手段】
【０００６】
上記目的を達成するために、本発明は、放射能で汚染された焼却灰を減容・固化した固化体を含む放射能汚染物固化体を中間貯蔵施設その他の放射能汚染物貯蔵施設に収納するのに使用する放射能汚染物固化体の吊り・収納治具であって、前記固化体の底面に固定され、前記固化体を支持するための支持部材と、前記支持部材から立ち上げられて前記固化体に貫通固定され、前記固化体の天面上に延びる先端にフックを有する、前記固化体を懸吊するための懸吊部材と、前記支持部材の裏面側に形成され、前記懸吊部材のフックが挿入可能な開口と前記フックが嵌合可能な凹状のフック受けとからなる、前記フックを受けるためのフック受け凹部とを備え、前記固化体の形成過程で、前記支持部材及び前記懸吊部材が前記固化体に一体的に固定され、前記固化体を前記固化体天面のフックにより吊り上げ・搬送し、前記固化体同士を前記各固化体のフックとフック凹部との係合案内により上下に積み上げるようにした、ことを要旨とする。
この場合、フック受け凹部は、支持部材裏面の開口が前記フックの平面形状よりも大きく形成され、前記開口とフック受けとの間に、前記フックを前記フック受けに向けて摺動案内する傾斜面状又は曲面状のガイド面を有することが好ましい。
また、この場合、フック受け凹部は、支持部材の表面側において凸形形状に形成され、前記凸形形状が固化体の底面から当該固化体の内部に嵌入固定されることが好ましい。
【発明の効果】
【０００７】
本発明の放射能汚染物固化体の吊り・収納治具によれば、上記の構成により、固化体を固化体天面のフックにより吊り上げ・搬送し、固化体同士を各固化体のフックとフック凹部との係合案内により上下に積み上げるようにしたので、放射能で汚染された焼却灰を減容・固化した固化体などの放射能汚染物固化体を中間貯蔵施設などの放射能汚染物貯蔵施設に収納する際に、放射能汚染物貯蔵施設で遠隔操作によるクレーンを使って、固化体をフックにより吊り上げ水平方向に搬送することで固化体を並列に設置することができ、固化体を垂直方向に昇降し、フックとフック凹部とを係合させて、固化体同士を上下に積み上げることにより固化体を多段的に積み上げることができる。したがって、作業員は固化体の収納作業を固化体から離れた位置で行えるので、被曝を防止することができ、併せて、放射能汚染物貯蔵施設内で固化体を並列に設置し、かつ多段的に積み上げることができるので、固化体を放射能汚染物貯蔵施設内にその収容空間（空間容量）を最大限有効に活用して収納することができる。
【図面の簡単な説明】
【０００８】
【図１】本発明の一実施の形態における放射能汚染物固化体の吊り・収納治具の構成を示す斜視図
【図２】同治具の構成を示す正面図
【図３】同治具の構成を示す側面断面図
【図４】同治具を固化体に一体的に固定する手順を説明するための図
【図５】同治具を用いた固化体の積み上げ状況を示す図（（ａ）は正面図（ｂ）は側面図）
【発明を実施するための形態】
【０００９】
以下、この発明を実施するための形態について図を用いて説明する。図１、図２及び図３に放射能汚染物固化体の吊り・収納治具の構成を示している。
図１に示すように、この吊り・収納治具１は、放射能で汚染された焼却灰を減容・固化した固化体を含む放射能汚染物固化体を中間貯蔵施設その他の放射能汚染物貯蔵施設に収納するのに使用するもので、固化体の底面に固定され、固化体を支持するための支持部材１１と、支持部材１１から立ち上げられて固化体に貫通固定され、固化体の天面上に延びる先端にフック１２０を有する、固化体を懸吊するための懸吊部材１２と、支持部材１１の裏面側に形成され、懸吊部材１２のフック１２０が挿入可能な開口１３０（図３参照）とフック１２０が嵌合可能な凹状のフック受け１３１（図３参照）とからなる、フック１２０を受けるためのフック受け凹部１３とを備える。
【００１０】
支持部材１１は、図２及び図３に示すように、固化体の底面と同じ又は少し小さい大きさの板状に形成される。この場合、支持部材１１は固化体の底面と同じ大きさ、形状（ここでは四角形）の板状としてある。なお、支持部材１１の形状は固化体の底面の形状と同じであってもよく、異なるものであってもよい。
懸吊部材１２は、図２及び図３に示すように、所定の長さを有する棒材からなり、上端部にフック１２０が一体的に形成され、支持部材１１上に一体的に固着されて立ち上げられる。この場合、懸吊部材１２は１本の棒材からなり、上端部がリング状に曲げ加工されて、リング状のフック１２０が設けられる。また、フック１２０の上端部中央付近は断面形状が略三角形になっていて、テーパーが付けられる。この懸吊部材１２は後述する支持部材１１の裏面側に形成されるフック受け凹部１３の支持部材１１の表面側の凸形形状１３３上に固着される。なお、懸吊部材１２は複数本の棒材の組み合わせからなるもの、あるいは板状のものであってもよい。また、フック１２０の形状はクレーンのフックに係合可能であれば、例えば楕円形、四角形その他の多角形、略Ｊ字形など任意の形状に変更可能である。
フック受け凹部１３は、図２及び図３に示すように、支持部材１１裏面の開口１３０がフック１２０の平面形状よりも大きく形成され、この開口１３０とフック受け１３１との間に、フック１２０をフック受け１３１に向けて摺動案内する傾斜面状又は曲面状のガイド面１３２が形成される。また、このフック受け凹部１３は支持部材１１の表面側に突出され、支持部材１１の表面側において凸形形状１３３に形成される。これにより、支持部材１１の厚みが薄くても、支持部材１１にフック受け凹部１３が設けられる。この場合、フック受け凹部１３は支持部材１１裏面の中央に形成される。開口１３０はリング状のフック１２０全体が嵌合可能にフック１２０の幅及び厚みよりも少し大きい細長い略長方形状に形成される。フック受け１３１はフック１２０の略上半分の外形と一致する円弧形状の凹状に、かつその上部中央付近がフック１２５上端部のテーパーに対応して断面三角形の凹状に形成される。ガイド面１３２は開口１３０とフック受け１３１との間に傾斜面状に形成される。このようにしてフック受け凹部１３は全体として、正面視幅広の略山形に、側面視幅狭の略山形に構成され、これに対応して、支持部材１１表面側の凸形形状１３３が全体として、正面視幅広の略山形に、側面視幅狭の略山形に突出形成される。このようにして支持部材１１にフック受け凹部１３が形成され、既述の懸吊部材１２が支持部材１１表面側の凸形形状１３３上の中心に連結固定されて、支持部材１１上の中央に立ち上げられる。
なお、この吊り・収納治具１の支持部材１１及び懸吊部材１２は鉄、アルミなどの金属材料や合成樹脂材料その他固化体の重量に十分耐え得る強度を有する各種の材料により形成される。
【００１１】
この吊り・収納治具１は、固化体の形成過程で、支持部材１１及び懸吊部材１２が固化体に固定され、固化体に一体化される。
この固化体は、放射能汚染焼却灰に水、セメント及び石炭灰などの焼却灰を混練して、定形のブロック状に締め固めたもので、次のような手順で、固化体とこの吊り・収納治具１が一体的に固定される。この手順について図４を参照しながら説明する。
まず、複数の板を組み立てて型枠を形成する。図４（１）にこの型枠の構成を示している。この場合、型枠２は４枚の側版２１と底版２２が箱形に組み立てられて形成され、この型枠２の天面は開放状態になっている。
次に、この型枠２内に吊り・収納治具１を設置する。図４（２）にこの型枠内に吊り・収納治具１を設置した状態を示している。この場合、吊り・収納治具１の支持部材１１が型枠２内の底板２２と略同じ大きさ及び形状で、この型枠２内で底板２２上に重合され、懸吊部材１２が型枠２の中心上に配置されて、リング状のフック１２０が型枠２の天面開口上に突出される。
続いて、放射能汚染焼却灰、セメント、水、石炭灰などの焼却灰などを混練した材料を型枠に打設する。図４（３）にこの材料を型枠に打設した状態を示している。この場合、材料３１を型枠２内に投入し、この型枠２を振動機（図示省略）により振動させて、定形のブロック状に締め固める。
そして、型枠２内の材料３１が固化すると、この固化体３２に吊り・収納治具１が一体的に固定されるので、この固化体３２を固化体３２の天面上に突出されるフック１２０を使ってクレーンなどにより吊り上げ、固化体３２を吊り・収納治具１とともに型枠２から脱型する。このようにして放射能汚染焼却灰を含む固化体３２が製造され、この製造とともに、固化体３２の底面に支持部材１１が固定され、固化体３２の底面から天面まで懸吊部材１２が貫通固定されて、固化体３２の天面にリング状のフック１２０が突出され、固化体３２の底面から固化体３２内部に支持部材１１表面側の凸形形状１３３が嵌入固定されて、固化体３２とこの吊り・収納治具１が一体化される。
なお、固化体３２の大きさ、形状は一辺が１ｍ〜２ｍ、好ましくは１．４ｍ〜１．６ｍの立方体が望ましい。
【００１２】
吊り・収納治具１はかかる構成からなり、固化体３２に一体に固定されて、固化体３２を固化体３２天面のフック１２０により吊り上げ・搬送し、また、固化体３２同士を各固化体３２のフック１２０とフック受け凹部１３との係合案内により上下に積み上げるようになっている。図５に固化体３２同士を上下に積み重ねた状態を例示している。
例えば、放射能で汚染された焼却灰を減容・固化した固化体３２を中間貯蔵施設に収納する場合、図５に示すように、固化体３２に吊り・収納治具１を一体に備え付けることで、中間貯蔵施設で遠隔操作によるクレーンを使って、固化体３２を固化体３２のフック１２０により吊り上げ水平方向に搬送して、固化体３２を並列に設置することができ、固化体３２を固化体３２のフック１２０により吊り上げ垂直方向に昇降し、固化体３２のフック１２０とフック受け凹部１３とを係合させて固化体３２同士を上下に積み上げることにより、固化体３２を多段的に積み上げることができる。また、この固化体３２の積み上げに当たり、図３に示すように、フック受け凹部１３の開口１３０がフック１２０の平面形状よりも大きく形成され、この開口１２０とフック受け１３１との間に、フック１２０をフック受け１３１に向けて摺動案内する曲面状のガイド面１３２が形成されているので、積み上げ中の上の固化体３２のフック受け凹部１３の開口１３０に下の固化体３２のフック１２０が入り込みやすく、開口１３０にフック１２０が入った後、フック１２０は開口１３０内のガイド面１３２の誘導により、フック受け１３１に確実かつ容易に嵌め込まれ、上の固化体３２が下の固化体３２上に位置決めされ、下の固化体３２に対してずれ止める。しかも、フック１２０の上端部中央付近は断面形状が略三角形のテーパーが付けられ、フック受け凹部１３の上部中央付近がフック１２０のテーパーに対応して断面三角形の凹状に形成されているので、フック１２０はフック受け１３１に密着した状態で嵌まり込み、上の固化体３２が下の固化体３２の天面上に同芯的に安定して設置される。このようにして中間貯蔵施設で作業員が固化体３２近辺に接することなしに、固化体３２が並列に正確に設置され、多段的に正確に積み重ねられる。なお、固化体３２が、一辺が１ｍ〜２ｍの立方体の場合、１０段程度の積み重ねが可能である。このように固化体３２はブロックのままで直接多段的に積み重ねて収納されるので、中間貯蔵施設内での固化体３２の収納効率は極めて優れたものとなる。なお、この吊り・収納治具１の場合、治具自体の空間容積が小さいので、固化体３２の収納効率に悪影響を与えることはない。
【００１３】
以上説明したように、この吊り・収納治具１によれば、固化体３２の底面に固定され、固化体３２を支持するための支持部材１１と、支持部材１１から立ち上げられて固化体３２に貫通固定され、固化体３２の天面上に延びる先端にフック１２０を有する、固化体３２を懸吊するための懸吊部材１２と、支持部材１１の裏面側に形成され、懸吊部材１２のフック１２０が挿入可能な開口１３０とフック１２０が嵌合可能な凹状のフック受け１３１からなる、フック１２０を受けるためのフック受け凹部１３とを備え、固化体３２の形成過程で、支持部材１１及び懸吊部材１２を固化体３２に一体的に固定して、固化体３２をフック１２０により吊り上げ・搬送し、固化体３２同士をフック１２０とフック受け凹部１３との係合案内により上下に積み上げるようにしたので、放射能で汚染された焼却灰を減容・固化した固化体などの放射能汚染物固化体を中間貯蔵施設などの放射能汚染物貯蔵施設に収納する際に、放射能汚染物貯蔵施設で遠隔操作によるクレーンを使って、固化体３２をフック１２０により吊り上げ水平方向に搬送することで固化体３２を並列に設置することができ、固化体３２をフック１２０により吊り上げ垂直方向に昇降し、フック１２０とフック受け凹部１３とを係合させて固化体３２同士を上下に積み上げることにより、固化体３２を多段的に積み重ねることができる。
したがって、作業員は固化体３２の収納作業を固化体３２から離れた位置で行えるので、被曝を防止することができ、併せて、放射能汚染物貯蔵施設内で固化体３２を並列に設置し、かつ多段的に積み上げることができるので、固化体３２を放射能汚染物貯蔵施設内にその収容空間（空間容量）を最大限有効に活用して収納することができる。
また、この吊り・収納治具１では、フック受け凹部１３の開口１３０をフック１２０の平面形状よりも大きく形成し、この開口１３０とフック受け１３１との間に、フック１２０をフック受け１３１に向けて摺動案内する曲面状（又は傾斜面状）のガイド面１３２を設けているので、積み上げ中の上の固化体３２のフック受け凹部１３の開口１３０に下の固化体３２のフック１２０が入れやすく、開口１３０にフック１２０が入った後、フック１２０を開口１３０内のガイド面１３２の誘導により、フック受け１３１に確実かつ容易に嵌め込むことができる。
また、この場合、フック１２０の上端部中央付近の断面形状を略三角形にしてテーパーを付け、フック受け凹部１３の上部中央付近をフック１２０のテーパーに対応して断面三角形の凹状に形成しているので、フック１２０をフック受け１３１に密着した状態に嵌め込むことができる。
さらに、この吊り・収納治具１では、フック受け凹部１３を、支持部材１１の表面側において凸形形状１３３に形成し、この凸形形状１３３を固化体３２の底面から固化体３２の内部に嵌入固定するので、支持部材１１の厚みが薄くても、支持部材１１にフック受け凹部１３を設けることができる。
【符号の説明】
【００１４】
１  放射能汚染物固化体の吊り・収納治具
１１  支持部材
１２  懸吊部材
１２０  フック
１３  フック受け凹部
１３０  開口
１３１  フック受け
１３２  ガイド面
１３３  凸形形状
２  型枠
２１  側版
２２  底版
３１  材料
３２  固化体
【図１】
2014181979.tif 000003
【図２】
2014181979.tif 000004
【図３】
2014181979.tif 000005
【図４】
2014181979.tif 000006
【図５】
2014181979.tif 000007